(57)【特許請求の範囲】
【請求項１】
少なくとも通話中に、きょう体の同じ側面（通話・操作面）の方向に、通話用のマイクおよびスピーカと、操作用の入力手段とが向くように構成された端末装置であって、
前記きょう体の通話・操作面において前記マイクおよび前記スピーカの間に位置し、物体の当接に応じて当該端末装置に対する操作を受け入れる入力手段と、
当該端末装置において前記スピーカの部分に配設され、前記スピーカに対して物体が当接されたことを検出する１つ以上の検出手段と、
前記スピーカに対して物体が押し当てられたことが検出された場合に、前記入力手段が受け入れた操作を無効にする操作無効化手段と、
ユーザが前記端末装置から顔を離して通話することを可能にし、かつ前記操作無効化手段を無効にするスピーカ通話手段と
を有し、
前記入力手段は、操作用の画像を表示する画像表示手段と、表示した前記操作用の画像に対する物体の当接を検出し、操作として受け入れる操作受入手段とを有するタッチスクリーンである、
端末装置。
【発明の詳細な説明】
【０００１】
【産業上の利用分野】
本発明は、マイクと、スピーカと、操作を受け入れる入力部が一体に形成された端末装置および携帯端末装置に関する。
特に、本発明は、液晶表示装置等の表示に対してユーザが行なう操作を受け入れるタッチスクリーンが、マイクとスピーカの間に位置しており、ユーザがスピーカを耳に当てて通話している間に、ユーザの頬等がタッチスクリーンに接触する可能性がある端末装置および携帯端末装置に関する。
【０００２】
【従来の技術】
最近、携帯用情報端末（ＰＤＡ；  ｐｅｒｓｏｎａｌ  ｄｉｇｉｔａｌ  ａｓｓｉｓｔａｎｔ）と、携帯電話機・ＰＨＳ（ｐｅｒｓｏｎａｌ  ｈａｎｄｙ  ｐｈｏｎｅ  ｓｙｓｔｅｍ）等の通信装置とを組み合わせた、いわゆるスマートフォン製品が市場に出回りはじめている。
このスマートフォンは、カバン等の中に入れられて携帯されるので、操作用ボタン等がカバンの中に触れて誤動作してしまう可能性がある。
このようなスマートフォンの誤動作を防止するために、例えば、特開平９−２７０８３８号公報および特開平９−１７２４７６号公報（文献１，２）は、ユーザが装置のきょう体の複数の部分に触れた場合にのみ操作入力を受け入れる携帯端末装置を開示する。
【０００３】
一方、スマートフォンにおいては、スピーカとマイクとの間に設けられた液晶表示装置に操作用画面を表示し、表示された画面に対するユーザの操作に応じて操作を受け入れる方法がとられることが多い。
このような場合、上記文献１，２に開示された方法を用いると、ユーザがスマートフォンを握ると操作入力が許可され、通話している最中に、ユーザの頬等が液晶表示装置に当たり、誤った操作入力がなされてしまう可能性がある。
【０００４】
【発明が解決しようとする課題】
本発明は、上述した従来技術の問題点に鑑みてなされたものであり、ユーザの頬等が通話中に入力装置に触れても、不要な操作入力がなされない端末装置および携帯端末装置を提供することを目的とする。
【０００５】
【課題を達成するための手段】
［端末装置］
上記目的を達成するために、本発明にかかる端末装置は、少なくとも通話中に、単一のきょう体の同じ側面（通話・操作面）の方向に、通話用のマイクおよびスピーカと、操作用の入力手段とが向くように構成された端末装置であって、前記入力手段は、前記きょう体の通話・操作面において前記前記マイクおよびスピーカの間に位置し、物体の当接に応じて当該端末装置に対する操作を受け入れ、当該端末装置において前記スピーカの部分に配設され、前記スピーカに対して物体が当接されたことを検出する１つ以上の検出手段と、前記スピーカに対して物体が押し当てられたことが検出された場合に、前記入力手段が受け入れた操作を無効にする操作無効化手段とを有する。
【０００６】
好適には、前記入力手段は、操作用の画像を表示する画像表示手段と、前記表示した操作用の画像に対する物体の当接を検出し、操作として受け入れる操作受入手段とを有する。
【０００７】
［端末装置の作用］
本発明に係る端末装置は、例えば、ＰＤＡ等の携帯端末装置と、ＰＨＳあるいは携帯電話等の通信装置とが一体に組み合わされ、きょう体の同じ面において、液晶表示装置を用いた入力装置（タッチスクリーン）が、マイクおよびスピーカの間に設けられている、いわゆるスマートフォンと呼ばれる装置である。
本発明に係る端末装置は、ユーザがスピーカに耳を当てて通話している間は、ユーザの頬等がタッチスクリーンに触れても、タッチスクリーンに対する操作を無効化することにより、誤動作を防止する。
【０００８】
［検出手段］
検出手段は、例えば、スマートフォンのスピーカの周囲に設けられ、ユーザが耳をスピーカ部分に押し当てたことを、圧力の変化により検出する圧力センサ、あるいは、スピーカ部分のきょう体と、他の部分のきょう体との間に設けられ、ユーザが耳を押し当てた場合に、スピーカ部分のきょう体が、他の部分に押しつけられたことを検出する機械的スイッチである。
検出手段は、ユーザが通話のために耳をスピーカ部分に押し当て、通話していることを、圧力の変化を検出する方法、あるいは、スピーカ部分のきょう体の位置の変化を機械的に検出する方法等により検出する。
【０００９】
［操作無効化手段］
操作無効化手段は、検出手段が通話中を検出すると、タッチスクリーンに対する入力操作を無効化し、スマートフォンの誤動作を防止する。
【００１０】
［携帯端末装置］
また、本発明に係る携帯端末装置は、きょう体の同じ側面（通話・操作面）に、マイクと、通話中、ユーザの耳に押当てられるスピーカと、入力手段とが設けられた携帯端末装置であって、前記入力手段は、前記マイクと前記スピーカとの間において、通話中、顔の一部が触れうる位置に設けられ、操作用の画像を表示する画像表示手段と、前記表示した操作用の画像に対する物体の接触を検出し、操作として受け入れる操作受入手段とを有し、当該端末装置において前記スピーカの部分に配設され、前記スピーカに耳が押し当てられたことを検出する１つ以上の検出手段と、前記スピーカに対して耳が押し当てられたことが検出された場合に、前記入力手段が受け入れた操作を無効にする操作無効化手段とを有する。＃ｄ
【発明の実施の形態】
以下、本発明の実施形態を説明する。
【００１１】
［携帯端末装置１］
以下、本発明にかかる携帯端末装置１を説明する。
図１は、本発明にかかる携帯端末装置１の外観を例示する図である。
図２は、図１に示した携帯端末装置１のＸ−Ｘ’断面を簡略化して示す図である。
【００１２】
図１および図２に示すように、携帯端末装置１は、スマートフォンとも呼ばれ、通話に用いられるスピーカおよびマイクと、操作に用いられるタッチスクリーンと、その他、通話およびデータ伝送に必要な構成要素とが同一のきょう体内に一体に収容される構成をとり、携帯端末装置１は、スピーカ部分１０、本体部分１２およびマイク部分１４に大別される。
【００１３】
本体部分１２の表側（通話・操作面）にはスピーカ部分１０（スピーカ３０２）が設けられ、その裏側にはアンテナ（ＡＮＴ）が設けられる。
通話・操作面のスピーカ部分１０とマイク部分１４との間には、タッチスクリーン２２が設けられる。
【００１４】
マイク部分１４は、例えば、図中に矢印を付して示すように、本体部分１２に開閉自在に取付けられており、その通話・操作面には、例えばキーボード１４０が設けられ、端部にはユーザの話し声を拾うマイク３００が設けられている。
なお、図２に示すように、通話のために、ユーザが、スピーカ部分１０（スピーカ３０２）に耳を押し当て、マイク３００に口を近づけると、タッチスクリーン２２にはユーザの頬が当たり、何等の手当もなければ、タッチスクリーン２２に対して不要な操作入力がなされる可能性が生じる。
【００１５】
［携帯端末装置１の構成］
図３は、図１および図２に示した携帯端末装置１の構成を示す図である。
図３に示すように、携帯端末装置１は、検出部２０、キーボード１４０（図１，図２）、タッチスクリーン２２（図１，図２）、タッチスクリーン制御部２４、データＩＯ２６、ＣＰＵ２８、マイク３００およびスピーカ３０２（図１，図２）等を含む通信部３０、および、アンテナから構成される。
携帯端末装置１は、これらの構成部分により、文書作成等を行なう携帯情報端末装置（ＰＤＡ）としての機能と、通話およびデータ通信を行なう携帯電話装置（ＰＨＳ・携帯電話機）としての機能をユーザに提供する。
なお、携帯端末装置１は、ユーザが携帯端末装置１から顔を離して通話することができるスピーカ通話機能を有している。
【００１６】
［検出部２０］
図４は、図１および図２に示したスピーカ部分１０の断面を簡略化して示す図であって、（Ａ）はユーザがスピーカ部分１０に耳を押し当てていない状態を示し、（Ｂ）はユーザがスピーカ部分１０に耳を押し当てている状態を示す。
図４に示すように、スピーカ部分１０において、検出部２０（図３）は、スピーカ部分１０の通話・操作面に設けられ、通話中、耳に押し当てられるスピーカ部材２００およびスイッチ２０２から構成される。
【００１７】
［スピーカ部材２００］
スピーカ部材２００は、例えばバネあるいは板バネ（図示せず）等の弾性部材を介して本体部分１２に取付けられており、スピーカ部材２００に何も押し当てられていない間は、図４（Ａ）に示すように、スピーカ部材２００は本体部分１２から離れた位置をとる。
通話中、ユーザがスピーカ部材２００に耳を押し当てると、スピーカ部材２００は、図４（Ａ）に示した状態から、図４（Ｂ）に示すように本体部分１２側に移動させられた状態になる。
【００１８】
［スイッチ２０２］
スイッチ２０２は、例えば、数十ｇｆ以上の力がスライダ部分に加わると接点が閉じ、スライダ部分に加わる力が無くなると接点が開く形式のマイクロスイッチであって、本体部分１２のスピーカ３０２の近傍に配設され、スピーカ部材２００が図４（Ａ）の位置になる場合には接点が開き、論理値０の通話検出信号をＣＰＵ２８に対して出力し、スピーカ部材２００が図４（Ｂ）の位置になる場合には接点が閉じ、論理値１の通話検出信号をＣＰＵ２８に対して出力する。
【００１９】
［タッチスクリーン２２］
図５は、図１〜図３に示したタッチスクリーン２２の断面を示す図である。
タッチスクリーン２２（図１〜図３）は、図５に示すように、液晶表示装置（ＬＣＤ）の表示面にガラス板、スペーサを挟んだ透明抵抗層およびフィルムが重ねられて構成され、ＬＣＤに表示された操作用画像（ＧＵＩ画像）に対するユーザによるペンあるいは指等を用いた押下を検出し、押下された座標（押下座標）を示す情報をＣＰＵ２８に対して出力する。
【００２０】
［タッチスクリーン制御部２４］
タッチスクリーン制御部２４（図３）は、ＣＰＵ２８から入力されるＧＵＩ画像をタッチスクリーン２２のＬＣＤに表示し、タッチスクリーン２２から入力される押下座標をＣＰＵ２８に対して出力する。
【００２１】
［データＩＯ２６］
データＩＯ２６は、携帯端末装置１に接続されるコンピュータ等と、ＣＰＵ２８との間でデータを伝送する。
【００２２】
［キーボード１４０］
キーボード１４０は、例えばマイク部分１４（図１，図２）の通話・操作面に配設され、電話番号等の入力に用いられる数字０〜９および記号＃，＊の入力に用いられるテンキー、タッチスクリーン２２に表示されたカーソルの移動操作に用いられる十字キー、電源スイッチ（起動ボタン）、発呼ボタン・応答（着信）ボタン、および、スピーカ通話を行なう場合の操作に用いられるスピーカ通話ボタン等（図示せず）を有し、ユーザの発呼操作・着呼操作、スピーカ通話を指定する操作および電話番号の入力操作等を受け入れてＣＰＵ２８に対して出力する。
【００２３】
［通信部３０］
通信部３０は、ＣＰＵ２８の制御に従って通信制御を行ない、接続した通信相手と電波信号を用いて信号・データの伝送を行なう。
つまり、通信部３０は、ＣＰＵ２８と通信相手との間で情報処理にかかるデータを伝送し、また、通信相手から伝送されてきた音声信号をスピーカ３０２から出力し、マイク３００から入力された音声信号を通信相手に対して伝送する。
［ＣＰＵ２８］
ＣＰＵ２８は、例えばマイクロプロセッサ、メモリ（ＲＯＭ，ＲＡＭ；いずれも図示せず）等を含み、メモリに記憶されている操作受入ソフトウェア４（図６）を実行する。
また、ＣＰＵ２８は、タッチスクリーン２２にＧＵＩ画像の表示を行ない、タッチスクリーン２２およびキーボード１４０に対するユーザの操作を受け入れる。
また、ＣＰＵ２８は、受け入れた操作に基づいて情報処理を行なう。
また、ＣＰＵ２８は、データＩＯ２６のデータ伝送および通信部３０の通信制御を行なう。
【００２４】
図６は、ＣＰＵ２８により実行されるソフトウェア４の構成を示す図である。なお、図６においては、本発明の説明に不要なソフトウェア構成要素は適宜、省略されている。
図６に示すように、操作受入ソフトウェア４は、ハードウェア管理部４０、オペレーションシステム（ＯＳ）４２およびアプリケーションソフトウェア４４から構成される。
ＯＳ４２は、割込制御部４２０、状態管理部４２２、操作受入部４２６およびＧＵＩ制御部４２８から構成される。
【００２５】
［ハードウェア管理部４０］
ハードウェア管理部４０は、検出部２０からの通話検出信号、および、キーボード１４０に対するユーザの操作を受け入れ、割込制御部４２０に対して出力する。
また、ハードウェア管理部４０は、タッチスクリーン２２に表示されたＧＵＩ画像に対するユーザの操作（押下座標）、および、キーボード１４０に対するユーザの操作を受け入れ、操作受入部４２６に対して出力する。
また、ハードウェア管理部４０は、ＧＵＩ制御部４２８から入力されるＧＵＩ画像を受け入れ、タッチスクリーン制御部２４を介してタッチスクリーン２２に表示する。
【００２６】
［アプリケーションソフトウェア４４］
アプリケーションソフトウェア４４は、操作受入部４２６から入力される操作に応じて、文書作成等の情報処理を行なう。
また、ＧＵＩ制御部４２８を制御して、タッチスクリーン２２にＧＵＩ画像を表示させる。
【００２７】
［ＧＵＩ制御部４２８］
ＧＵＩ制御部４２８は、アプリケーションソフトウェア４４の制御に従って、タッチスクリーン２２に表示するＧＵＩ画像を生成し、ハードウェア管理部４０に対して出力する。
また、ＧＵＩ制御部４２８は、タッチスクリーン２２から入力される押下座標が、いずれの操作に対応するかを示す座標情報を生成し、操作受入部４２６に対して出力する。
【００２８】
［割込制御部４２０］
割込制御部４２０は、ハードウェア管理部４０を介して入力されるユーザの操作、および、通話検出信号の論理値に応じて状態管理部４２２の割り込み処理を起動し、割り込み要因を状態管理部４２２に通知する。
【００２９】
［状態管理部４２２］
状態管理部４２２は、割込制御部４２０により起動され、割込制御部４２０から通知された割り込み要因に応じて、タッチスクリーン２２および検出部２０を有効化・無効化する状態管理処理を行なう。
【００３０】
図７は、図６に示した状態管理部４２２による状態管理処理を示す図である。図７に示すように、状態管理部４２２は、押下座標および通話検出信号の有効化・無効化に関して、４つの状態を管理する。
【００３１】
［通常状態］
通常状態は、携帯端末装置１が通話状態にない場合、つまり、ユーザが発呼操作または着信操作を行なう前、または、ユーザが回線切断操作を行なった後の状態を示す。通常状態においては、スイッチ２０２から入力される通話検出信号（ＳＷ）は無効化（ＯＦＦ）され、タッチスクリーン２２から入力される押下座標（ＴＰ）は有効化（ＯＮ）される。
つまり、通常状態は、ユーザが携帯端末装置１を携帯情報端末として用いている場合に対応し、この状態においては、タッチスクリーン２２からの操作入力がアプリケーションソフトウェア４４にそのまま伝えられる必要がある。従って、通常状態においては、スイッチ２０２が通話を検出しているか否かにかかわらず、タッチスクリーン２２に対する操作が受け入れられる。
【００３２】
［状態１］
状態１は、携帯端末装置１が通話状態、つまり、ユーザが発呼操作または着信操作を行った後、および、ユーザが回線切断操作を行なう前の状態にあり、スピーカ通話機能が用いられておらず、かつ、タッチスクリーン２２０が、スピーカ部分１０に対してユーザの耳が押し当てられていることを検出していない（通話検出信号が論理値０である）状態を示す。状態１においては、スイッチ２０２から入力される通話検出信号、および、タッチスクリーン２２から入力される押下座標の両方が有効化される。
【００３３】
つまり、状態１は、例えば、ユーザが通話中に携帯端末装置１から耳を離して、タッチスクリーン２２に表示された情報を見たり、操作したりしている状態、あるいは、応答直後でユーザが携帯端末装置１を耳まで持っていっていない状態に対応する。
この状態１においては、スイッチ２０２が通話を検出していない場合に限って、タッチスクリーン２２に対する操作が受け入れられる。
【００３４】
［状態２］
状態２は、携帯端末装置１が通話状態にあり、スピーカ通話機能が用いられておらず、かつ、タッチスクリーン２２０が、スピーカ部分１０に対してユーザの耳が押し当てられていることを検出した（通話検出信号が論理値１である）状態を示す。状態１において、スイッチ２０２から入力される通話検出信号は有効化され、タッチスクリーン２２から入力される押下座標は無効化される。
つまり、状態２においては、スイッチ２０２が通話を検出しており、タッチスクリーン２２に対する操作は受け入れられない。
【００３５】
［状態３］
状態３は、携帯端末装置１が通話状態にあり、スピーカ通話機能が用いられている状態に対応する。状態３において、スイッチ２０２から入力される通話検出信号は無効化され、タッチスクリーン２２から入力される押下座標は有効化される。
つまり、状態３は、ユーザがスピーカ通話により携帯端末装置１から顔を離しているために、頬等がタッチスクリーン２２に押し当てられない場合に対応する。この状態において、スイッチ２０２が通話を検出した場合に、タッチスクリーン２２に対する操作入力を無効化すると、却って携帯端末装置１の操作が不便になることが多い。従って、状態３においては、スイッチ２０２が通話を検出しているか否かにかかわらず、タッチスクリーン２２に対する操作が受け入れられる。
【００３６】
［操作受入部４２６］
操作受入部４２６は、状態管理部４２２が管理する状態に応じて、タッチスクリーン２２から入力される押下座標を有効化または無効化する。
また、状態管理部４２２は、タッチスクリーン２２から入力される押下座標が有効化された場合に、入力された押下座標を、ＧＵＩ制御部４２８から入力される座標情報を用いて操作情報に変換し、アプリケーションソフトウェア４４に対して出力する。
【００３７】
つまり、操作受入部４２６は、状態管理部４２２が管理する状態が状態２（図７）の場合にタッチスクリーン２２から入力される押下座標を無効化し、通常状態、状態１および状態３の場合に押下座標を操作情報に変換してアプリケーションソフトウェア４４に対して出力する。
【００３８】
［携帯端末装置１の動作］
以下、携帯端末装置１の動作を説明する。
【００３９】
［情報処理動作］
ユーザがキーボード１４０の起動ボタンを押下して携帯端末装置１を起動すると、アプリケーションソフトウェア４４およびＧＵＩ制御部４２８は、タッチスクリーン２２に表示するＧＵＩ画像を生成し、ハードウェア管理部４０等を介してタッチスクリーン２２に表示させる。
また、ユーザによる起動操作はハードウェア管理部４０および割込制御部４２０を介して状態管理部４２２に伝えられ、状態管理部４２２が管理する状態は通常状態（図７）になる。
この通常状態においては、スイッチ２０２が出力する通話検出信号は無効化され、ユーザがタッチスクリーン２２に対して行なった操作は操作受入部４２６等を介してアプリケーションソフトウェア４４に対して操作情報として入力される。アプリケーションソフトウェア４４は、入力された操作情報に基づいて、文書作成等の情報処理を行なう。
【００４０】
［通常通話動作］
スピーカ通話でない通常通話を行なうために、ユーザがキーボード１４０を操作し、発呼または着呼に対する応答を行なうと、ハードウェア管理部４０および割込制御部４２０を介してユーザの操作が状態管理部４２２に伝えられ、状態管理部４２２が管理する状態は状態１になる。
この状態１においては、操作受入部４２６は、タッチスクリーン２２に対するユーザの操作の操作があった場合、タッチスクリーン２２から入力される押下座標を操作情報に変換し、アプリケーションソフトウェア４４に対して出力する。また、通信部３０は、ＣＰＵ２８の制御に従って通信制御を行ない、通信相手との間に通話路が設定されると、マイク３００から入力される音声信号を通信相手に対して伝送し、通話相手から伝送されてきた音声信号をスピーカ３０２から出力する。
【００４１】
なお、状態管理部４２２が管理する状態が状態１である場合に、ユーザがキーボード１４０を操作して通話を切断すると、この操作はハードウェア管理部４０および割込制御部４２０を介して状態管理部４２２に伝えられ、状態管理部４２２が管理する状態は通常状態に戻り、通信部３０はＣＰＵ２８の制御に従って、通信相手との間の通信を終了する。
【００４２】
さらに、ユーザがスピーカ部分１０に耳を当てると、検出部２０のスイッチ２０２が通話検出信号を論理値０から論理値１にする。
通話検出信号の変化はハードウェア管理部４０および割込制御部４２０を介して状態管理部４２２に伝えられ、状態管理部４２２が管理する状態は状態２になる。状態２においても、通信部３０による通信相手との間の音声信号の伝送は維持される。
この状態２においては、操作受入部４２６は、タッチスクリーン２２に対するユーザの操作を無効化し、タッチスクリーン２２に対する操作（ユーザが意図したものか否かを問わない）を、操作情報としてアプリケーションソフトウェア４４に対して出力することはない。
【００４３】
なお、状態管理部４２２が管理する状態が状態２である場合に、ユーザがキーボード１４０を操作して通話を切断すると、この操作はハードウェア管理部４０および割込制御部４２０を介して状態管理部４２２に伝えられ、状態管理部４２２が管理する状態は通常状態に戻り、通信部３０はＣＰＵ２８の制御に従って、通信相手との間の通信を終了する。
また、状態管理部４２２が管理する状態が状態２である場合に、ユーザがスピーカ部分１０から耳を離し、スイッチ２０２が出力する通話検出信号が論理値１から論理値０に変わると、この変化はハードウェア管理部４０および割込制御部４２０を介して状態管理部４２２に伝えられ、状態管理部４２２が管理する状態は状態１に戻る。
【００４４】
［スピーカ通話動作］
ユーザがキーボード１４０を操作し、発呼または着呼に対する応答を行なうと、上述のように、ハードウェア管理部４０および割込制御部４２０を介してユーザの操作が状態管理部４２２に伝えられ、状態管理部４２２が管理する状態は状態１になる。
さらに、スピーカ通話をするために、ユーザがキーボード１４０のスピーカ通話を押下すると、この操作はハードウェア管理部４０および割込制御部４２０を介して状態管理部４２２に伝えられ、状態管理部４２２が管理する状態は状態３になる。
【００４５】
あるいは、状態管理部４２２が発呼・着呼操作を行ない、さらに、スピーカ部分１０を耳に当てて状態管理部４２２が管理する状態が状態２である場合において、ユーザがスピーカ通話ボタンをさらに押下すると、この操作はハードウェア管理部４０および割込制御部４２０を介して状態管理部４２２に伝えられ、状態管理部４２２が管理する状態は状態３になる。この状態３においても、通信部３０による通信相手との間の音声信号の伝送は維持される。
【００４６】
この状態３においては、操作受入部４２６は、タッチスクリーン２２に対するユーザの操作の操作があった場合、タッチスクリーン２２から入力される押下座標を操作情報に変換し、アプリケーションソフトウェア４４に対して出力する。また、この状態３において、例えばユーザがスピーカ部分１０に触れて（意図して触れたか否かを問わない）、スイッチ２０２が出力する通話検出信号は論理値０から論理値１に変化し、ハードウェア管理部４０および割込制御部４２０を介して状態管理部４２２に伝えられるが、状態管理部４２２は、管理する状態を状態３から他の状態に変更することはない。
【００４７】
なお、状態管理部４２２が管理する状態が状態３である場合に、ユーザがキーボード１４０を操作してスピーカ通話を止めると、この操作はハードウェア管理部４０および割込制御部４２０を介して状態管理部４２２に伝えられ、状態管理部４２２が管理する状態は状態１に戻り、通信部３０はＣＰＵ２８の制御に従って、通信相手との間の通信を終了する。
また、この状態３において、ユーザが通話を切断すると、この操作はハードウェア管理部４０および割込制御部４２０を介して状態管理部４２２に伝えられ、状態管理部４２２が管理する状態は通常状態に戻る。
【００４８】
［携帯端末装置１の効果］
以上説明したように、本発明にかかる携帯端末装置１によれば、通常通話中に誤ってタッチスクリーン２２にユーザの頬等が触れても、タッチスクリーン２２からの操作が無効化されるため、携帯端末装置１が誤動作することがない。
また、通常通話の場合には、スイッチ２０２が出力する通話検出信号に応じてタッチスクリーン２２に対する操作を無効化または有効化し、スピーカ通話の場合には、通話検出信号の値にかかわらずタッチスクリーン２２への操作を有効化したので、スピーカ通話の際に誤ってスピーカ部分１０に触れても、タッチスクリーン２２に対するユーザの操作が無効化されることはない。従って、携帯端末装置１の操作性は向上されている。
【００４９】
［変形例］
なお、図４には、検出部２０をスピーカ部材２００とスイッチ２０２とにより構成する場合を例示したが、検出方法は任意である。
例えば、スピーカ部材２００と本体部分１２とを一体に構成し、スイッチ２０２の代わりに、スピーカ部材２００の表面に設けられ、ユーザの耳が押し当てられる際の圧力変化あるいは静電容量の変化を検出する圧力センサ・静電センサを用いることができる。
【００５０】
また、操作受入部４２６が、アプリケーションソフトウェア４４への操作情報を無効化する場合を例示したが、操作受入部４２６が、通信部３０に対する通信制御を行なうソフトウェアへの操作情報を無効化するように構成してもよい。
また、スイッチ２０２の代わりに、ユーザの耳が押し当てられたことを、スピーカ部材２００の表面に設けられた電極間の電流の変化として検出してもよい。
【００５１】
また、携帯端末装置１のマイク部分１４が本体部分１２に向けて折り畳める場合を例示したが、マイク部分１４は必ずしも折り畳めなくともよい。
また、上記した通話検出信号の論理値は例示であって、通話を検出した場合と検出していない場合とで、上記と反対の論理値をとるようにしてもよい。
【００５２】
また、スイッチ２０２の有効化・無効化の制御は必ずしも必要ではなく、この制御をしない場合、例えば、カバンの中にしまわれた携帯端末装置１のスピーカ部分１０の部分に物が触れてタッチスクリーン入力が無効化されることがありうるが、このような場合のタッチスクリーン入力は不要なものであると考えられる。従って、操作受入部４２６は、ユーザの耳が押し当てられたか、あるいは、他の物体が押し当てられたかを特に区別する必要はなく、いずれの場合にも操作入力を無効化すればよい。
【００５３】
なお、図３等においては、通信部３０がアンテナを介して電波を用いて通信を行なう場合を例示したが、通信部３０が光を用いて通信を行なうようにしたり、あるいは、有線通信回線を介して通信を行なうようにしてもよい。
【００５４】
【発明の効果】
以上説明したように、本発明にかかる端末装置および携帯端末装置によれば、ユーザの頬等が通話中に入力装置に触れても、不要な操作入力がなされることがない。
【図面の簡単な説明】
【図１】本発明にかかる携帯端末装置の外観を例示する図である。
【図２】図１に示した携帯端末装置のＸ−Ｘ’断面を簡略化して示す図である。
【図３】図１および図２に示した携帯端末装置の構成を示す図である。
【図４】図１および図２に示したスピーカ部分の断面を簡略化して示す図であって、（Ａ）はユーザがスピーカ部分に耳を押し当てていない状態を示し、（Ｂ）はユーザがスピーカ部分に耳を押し当てている状態を示す。
【図５】図１〜図３に示したタッチスクリーンの断面を示す図である。
【図６】図３に示したＣＰＵにより実行されるソフトウェアの構成を示す図である。
【図７】図６に示した状態管理部による状態管理処理を示す図である。
【符号の説明】
１・・・携帯端末装置
１０・・・スピーカ部分
２０・・・検出部
２００・・・スピーカ部材
２０２・・・スイッチ
１２・・・本体部分
２２・・・タッチスクリーン
２４・・・タッチスクリーン制御部
２６・・・データＩＯ
２８・・・ＣＰＵ
４・・・操作受入ソフトウェア
４０・・・ハードウェア管理部
４２・・・ＯＳ
４２０・・・割込制御部
４２２・・・状態管理部
４２６・・・操作受入部
４２８・・・ＧＵＩ制御部
４４・・・アプリケーションソフトウェア
３０・・・通信部
３００・・・マイク
３０２・・・スピーカ
１４・・・マイク部分
１４０・・・キーボード
【図１】
0003595448.tif 000002
【図２】
0003595448.tif 000003
【図３】
0003595448.tif 000004
【図４】
0003595448.tif 000005
【図５】
0003595448.tif 000006
【図６】
0003595448.tif 000007
【図７】
0003595448.tif 000008